(57)【特許請求の範囲】
【請求項１】
締め付けネジを介し、固定端子部材と可動端子部材とでリード線の端部を挟持する端子台ブロックにおいて、
第１上面部に嵌合孔を有するともに、前記第１上面部から下方側に延在した第１側面部を介して前記第１上面部と対向する第１下面部を有する第１端子部材と、
ネジ孔を有する第２上面部から下方に延在する第２側面部を介して前記第２上面部と対向する第２下面部を有する第２端子部材と、
前記第１端子部材もしくは第２端子部材と接続された端子部と、
前記第１端子部材の嵌合孔に回動可能に組み付けられ、かつ、前記第２端子部材のネジ孔に螺合可能な締め付けネジとを備え、
前記第１端子部材の前記第１上面部と前記第１下面部との間に、前記第２端子部材の第２上面部を嵌合するとともに、前記第１端子部材の嵌合孔に嵌合した締め付けネジを前記第２端子部材のネジ孔に螺合可能とし、
前記締め付けネジを前記ネジ孔に螺合することにより、前記第１端子部材の第１下面部と前記第２端子部材の第２下面部とで、棒端子，撚り線もしくは単線のいずれかを挟持し、または、前記第２端子部材の第２上面部と前記第１端子部材の第１上面部とで、丸端子もしくはＹ端子のいずれかを挟持することを特徴とする端子台ブロック。
【請求項２】
前記端子台ブロックが端子台ハウジングを有し、
前記端子台ハウジングに、前記リード線，端子を同一方向から挿入できる複数の端子挿入口を設けたことを特徴とする請求項１に記載の端子台ブロック。
【請求項３】
前記第２端子部材の第２上面部と前記締め付けネジの下端との間に、端子を挿入可能な間隙を設けたことを特徴とする請求項１または２に記載の端子台ブロック。
【請求項４】
前記第１端子部材および前記第２端子部材のいずれか一方が断面コ字形状であることを特徴とする請求項１ないし３のいずれか１項に記載の端子台ブロック。
【請求項５】
前記第１端子部材および前記第２端子部材のいずれか一方が断面コ字形状であり、他方が枠形状であることを特徴とする請求項１ないし４のいずれか１項に記載の端子台ブロック。
【請求項６】
コイルバネで、前記第１端子部材の前記第１上面部を前記第２端子部材の前記第２上面部から引き離すように付勢したことを特徴とする請求項１ないし５のいずれか１項に記載の端子台ブロック。
【請求項７】
前記第１端子部材の前記第１上面部から下方側に延在した突起部を、コイルバネに嵌合したことを特徴とする請求項６に記載の端子台ブロック。
【発明の詳細な説明】
【技術分野】
【０００１】
本発明は端子台ブロック、特に、種々の端子を備えたリード線の全てを接続できる端子台ブロックに関する。
【背景技術】
【０００２】
従来、端子台ブロックにリード線を接続する構造としては、例えば、主として欧米で使用されている棒端子を介してリード線を接続する方法（特許文献１参照）、あるいは、主として日本国内で使用されている丸端子を介してリード線を接続する方法（特許文献２参照）、または、撚り線あるいは単線を直接接続する方法が知られている。
【先行技術文献】
【特許文献】
【０００３】
【特許文献１】ＵＳ７４４５４８７Ｂ１
【特許文献２】特開２００１−８５０８２号公報
【発明の概要】
【発明が解決しようとする課題】
【０００４】
しかしながら、従来のいずれの接続方式も、１つの端子台ブロックで全てのリード線を接続できなかった。このため、接続するリード線あるいは端子の形状ごとに端子台ブロックを準備する必要があり、不便であるだけでなく、端子台ブロックの在庫管理に手間がかかるという問題点があった。
本発明は、前記問題点に鑑み、リード線あるいは異なる形状の端子の全てを１台で接続できる端子台ブロックを提供することを課題とする。
【課題を解決するための手段】
【０００５】
本発明に係る端子台ブロックは、前記課題を解決すべく、締め付けネジを介し、固定端子部材と可動端子部材とでリード線の端部を挟持する端子台ブロックにおいて、
第１上面部に嵌合孔を有するともに、前記第１上面部から下方側に延在した第１側面部を介して前記第１上面部と対向する第１下面部を有する第１端子部材と、
ネジ孔を有する第２上面部から下方に延在する第２側面部を介して前記第２上面部と対向する第２下面部を有する第２端子部材と、
前記第１端子部材もしくは第２端子部材と接続された端子部と、
前記第１端子部材の嵌合孔に回動可能に組み付けられ、かつ、前記第２端子部材のネジ孔に螺合可能な締め付けネジとを備え、
前記第１端子部材の前記第１上面部と前記第１下面部との間に、前記第２端子部材の第２上面部を嵌合するとともに、前記第１端子部材の嵌合孔に嵌合した締め付けネジを前記第２端子部材のネジ孔に螺合可能とし、
前記締め付けネジを前記ネジ孔に螺合することにより、前記第１端子部材の第１下面部と前記第２端子部材の第２下面部とで、棒端子，撚り線もしくは単線のいずれかを挟持し、または、前記第２端子部材の第２上面部と前記第１端子部材の第１上面部とで、丸端子もしくはＹ端子のいずれかを挟持する構成としてある。
【発明の効果】
【０００６】
本発明によれば、可動端子部材の上面部と固定端子部材の上面部とで丸端子，Ｙ端子を挟持できる一方、可動端子部材の下面部と固定端子部材の下面部とで棒端子、リード線の撚り線、単線を挟持して電気接続できる。このため、１台の端子台ブロックでリード線および全ての端子を電気接続でき、便利であるとともに、在庫管理が容易になる。
【０００７】
本発明の実施形態としては、前記端子台ブロックが端子台ハウジングを有し、前記端子台ハウジングに、前記リード線，端子を同一方向から挿入できる複数の端子挿入口を設けてもよい。
また、本発明の異なる実施形態としては、前記第２端子部材の第２上面部と前記締め付けネジの下端との間に、端子を挿入可能な間隙を設けておいてもよい。
【０００８】
本発明の他の実施形態としては、前記第１端子部材および前記第２端子部材のいずれか一方が断面コ字形状であり、他方が枠形状であってもよい。
本実施形態によれば、材料取りが容易となり、製造コストの低い端子台ブロックが得られる。
また、本実施形態によれば、端子部材の機械的強度が高く、接続信頼性の高い端子台ブロックが得られる。
【０００９】
本発明の別の実施形態としては、コイルバネで、前記第１端子部材の前記第１上面部を前記第２端子部材の前記第２上面部から引き離すように付勢してもよい。
本実施形態によれば、コイルバネの付勢力で、固定端子部材と可動端子部材および締め付けネジとの間に常に接続スペースが形成されるので、リード線の端子部の挿入が容易となり、作業性の高い端子台ブロックが得られる。
【００１０】
本発明の異なる実施形態としては、前記第１端子部材の前記第１上面部から下方側に延在した突起部を、前記コイルバネに嵌合してもよい。
本実施形態によれば、コイルバネが可動端子部材から脱落しにくくなり、耐振性の高い端子台ブロックが得られるという効果がある。
【図面の簡単な説明】
【００１１】
【図１】本発明に係る端子台ブロックの第１実施形態を備えたコネクタ端子台を示す斜視図である。
【図２】図１で示したコネクタ端子台の分解斜視図である。
【図３】図３Ａ，３Ｂは図２で示した端子台ブロックの斜視図，分解斜視図である。
【図４】図４Ａ，４Ｂは図３Ａで示した端子台ブロックの平面図および右側面図である。
【図５】図５Ａ，５Ｂは図３Ａで示した端子台ブロックの左側面図および正面図である。
【図６】図６Ａ，６Ｂは第２実施形態に係る端子台ブロックの斜視図，分解斜視図である。
【図７】図７Ａ，７Ｂは図６Ａで示した端子台ブロックの平面図および右側面図である。
【図８】図８Ａ，８Ｂは図６Ａで示した端子台ブロックの左側面図および正面図である。
【図９】図９Ａないし図９Ｄはリード線の棒端子を接続する方法を説明するための説明図である。特に、図９Ｂ、図９Ｄは図９Ａ、図９Ｃのネジ部の中心を含む断面図である。
【図１０】図１０Ａないし図１０Ｄはリード線の丸端子を接続する方法を説明するための説明図である。特に、図１０Ｂ、図１０Ｄは図１０Ａ、図１０Ｃのネジ部の中心を含む断面図である。
【図１１】本発明に係る端子台ブロックの第３実施形態を備えたコネクタ端子台を示す斜視図である。
【図１２】図１２Ａ，１２Ｂは図１１で示した端子台ブロックの斜視図，分解斜視図である。
【図１３】図１３Ａ，１３Ｂは図１２Ａで示した端子台ブロックの平面図および右側面図である。
【図１４】図１４Ａ，１４Ｂは図１２Ａで示した端子台ブロックの左側面図および正面図である。
【図１５】図１５Ａ，１５Ｂは本発明に係る端子台ブロックの第４実施形態を示す斜視図，分解斜視図である。
【図１６】図１６Ａ，１６Ｂは図１５Ａで示した端子台ブロックの平面図および右側面図である。
【図１７】図１７Ａ，１７Ｂは図１５Ａで示した端子台ブロックの左側面図および正面図である。
【図１８】図１８Ａないし図１８Ｄはリード線の棒端子を接続する方法を説明するための説明図である。特に、図１８Ｂ、図１８Ｄは図１８Ａ、図１８Ｃのネジ部の中心を含む断面図である。
【図１９】図１９Ａないし図１９Ｄはリード線の丸端子を接続する方法を説明するための説明図である。特に、図１９Ｂ、図１９Ｄは図１９Ａ、図１９Ｃのネジ部の中心を含む断面図である。
【発明を実施するための形態】
【００１２】
本発明に係る端子台ブロックの実施形態を適用したコネクタ端子台を、図１ないし図１９の添付図面に従って説明する。
すなわち、第１実施形態は、図１ないし図５に示すように、ＤＩＮレール１０に沿って、あるいは、直交するように着脱可能なコネクタ端子台２０に適用した場合である。
【００１３】
前記ＤＩＮレール１０は、図１に示すように、断面コ字形状の開口縁部から係止用リブ１１，１２を側方にそれぞれ突出し、後述するコネクタ端子台２０を記置可能としたものである。
【００１４】
コネクタ端子台２０は、図１および図２に示すように、両端部に端末ブロック２７を組み付けて形成したベース２１と、前記ベース２１の上面開口部を被覆するように組み付けたプリント基板４０と、前記プリント基板４０に所定の間隔で対向するように立設した側面カバー４１，４１と、多数本のピン端子４３ａを突出し、かつ、前記プリント基板４０に実装した接続ブロック４３と、前記側面カバー４１の上端角部に両端部を架け渡し、かつ、回動可能に組み付けられた上面カバー４２と、前記プリント基板４０に実装され、かつ、前記側面カバー４１，４１間に隣接するように並設した複数個の端子台ブロック５０と、で構成されている。
【００１５】
前記ベース２１は、左右対称の階段状の断面を有し、その開口縁部に長手方向に沿って嵌合溝２３を有する一方、その底面に不連続な係合溝２４を有するとともに、前記嵌合溝２３と前記係合溝２４との間に連続する係合溝２５を平行に設けてある。そして、前記係合溝２４，２５には、後述する端末ブロック２７を抜け止めするための係合凹部２４ａ，２５ａをそれぞれ設けてある。
また、前記ベース２１は、その対向する外側面中央部に、前記ＤＩＮレール１０の係止用リブ１１，１２に当接可能な接触部２２を有するとともに、前記接触部２２の両側にガイド溝３０を設けてある。そして、前記ベース２１は、その下面縁部から前記接触部２２に向けて一対の弾性腕部３１，３１を延在してある。前記弾性腕部３１の先端部には、前記ガイド溝３０を介して操作可能な操作受け部３１ａと、前記ＤＩＮレール１０の係止用リブ１１，１２に係止可能な係止爪部３２と、を設けてある。
【００１６】
前記端末ブロック２７は、図２に示すように、前記ベース２１の端面に突き合わせ可能な正面形状を有し、その両側端面から一対の弾性爪部３３を延在してある。また、前記端末ブロック２７は、前記ベース２１との突き合わせ面に、前記ベース２１の係合溝２４に挿入され、かつ、係合凹部２４ａに係合する係合爪部２８ａと、前記ベース２１の係合溝２５に挿入され、かつ、係合凹部２５ａに係合する係合爪部２８ｂと、を側方に突設してある。
【００１７】
端子台ブロック５０は、図３ないし図５に示すように、端子台ハウジング５１に設けた上下２段で階段状に配置した収納凹部５２ａ，５２ｂに、接点機構部６０，７０をそれぞれ組み込んだものである。
【００１８】
前記端子台ハウジング５１は、その上段平面に操作孔５３ａを有するとともに、その上段正面に前記収納凹部５２ａに連通する端子挿入口５５ａ，５６ａを上下２段に設けてある。また、前記端子台ハウジング５１は、その上段平面に操作孔５３ｂを有するとともに、その下段正面に前記収納凹部５２ｂに連通する端子挿入口５５ｂ，５６ｂを上下２段に設けてある。また、前記端子台ハウジング５１は、前記収納凹部５２ａに連通する端子溝５４ａを上下方向に設けてある。
【００１９】
前記接点機構部６０は、上面部６１ａ，側面部６１ｂおよび下面部６１ｃからなる枠形状の可動端子部材６１と、前記可動端子部材６１に嵌合する断面略コ字形状の固定端子部材６７と、前記可動端子部材６１および固定端子部材６７に取り付けられる締め付けネジ６５と、で構成されている。
前記可動端子部材６１は、その上面部６１ａに嵌合孔６２を設けてあるとともに、舌片６３を側方に延在してある。一方、前記固定端子部材６７は、その上面部６７ａ，側面部６７ｂおよび下面部６７ｃからなるとともに、前記下面部６７ｃから端子部６９を下方側に延在してある。
【００２０】
なお、前記可動端子部材６１の嵌合孔６２に前記締め付けネジ６５の軸部６６を挿入した後、プレス加工を加えることにより、前記締め付けネジ６５を回動可能に抜け止めしてある。このため、前記締め付けネジ６５は空回りするが、前記可動端子部材６１と一体に上下動する。そして、前記可動端子部材６１に固定端子部材６７の上面部６７ａを嵌合したままの状態で前記収納凹部５２ａに収納するとともに、前記固定端子部材６７の端子部６９を端子溝５４ａに収納する。
【００２１】
前記接点機構部７０は、上面部７１ａ，側面部７１ｂおよび下面部７１ｃからなる枠形状の可動端子部材７１と、前記可動端子部材７１に嵌合する断面略コ字形状の固定端子部材７７と、前記可動端子部材７１および固定端子部材７７に取り付けられる締め付けネジ７５と、で構成されている。
前記可動端子部材７１は、その上面部７１ａに嵌合孔７２を設けてあるとともに、舌片７３を側方に延在してある。一方、前記固定端子部材７７は、上面部７７ａ，側面部７７ｂおよび下面部７７ｃからなる断面略コ字形状であり、前記上面部７７ａに雌ネジ部を形成したネジ孔７８を設けてあるとともに、その下面部７７ｃから端子部７９を下方側に延在してある。
【００２２】
なお、前記可動端子部材７１の嵌合孔７２に前記締め付けネジ７５の軸部７６を挿入した後、プレス加工を加えることにより、前記締め付けネジ７５を回動可能に抜け止めする。このため、前記締め付けネジ７５は空回りするが、前記可動端子部材７１と一体に上下動する。そして、前記可動端子部材７１に固定端子部材７７の上面部７７ａを嵌合したままの状態で前記収納凹部５２ｂに収納する。
【００２３】
前記プリント基板４０，端子台ブロック５０等をベース２１に組み付けたコネクタ端子台２０を、前記ＤＩＮレール１０に沿って取り付ける場合には、図１に示すように、前記ＤＩＮレール１０に前記ベース２１を平行に位置決めする。そして、前記コネクタ端子台２０を上方から押し付けることにより、端末ブロック２７に設けた前記弾性爪部３３が弾性変形する。そして、前記弾性爪部３３，３３が前記ＤＩＮレール１０の係止用リブ１１，１２をそれぞれ乗り越えた後、元の形状に弾性復帰し、前記弾性爪部３３，３３が前記係止用リブ１１，１２にそれぞれ係止する。
したがって、前記コネクタ端子台２０は４本の弾性爪部３３で前記ＤＩＮレール１０に支持される。また、前記ベース２１の接触部２２がＤＩＮレール１０の係止用リブ１１，１２に側方から当接可能であるので、より一層確実に脱落を防止できる。
【００２４】
そして、前記ＤＩＮレール１０に沿って取り付けた前記コネクタ端子台２０を取り外す場合には、端末ブロック２７に設けた一方の弾性爪部３３にドライバーの先端を差し込み、捩る。このため、前記弾性爪部３３が外方に弾性変形し、前記ＤＩＮレール１０の係止用リブ１１，１２から外れ、前記コネクタ端子台２０をＤＩＮレール１０から取り外すことができる。
【００２５】
また、前述の第１実施形態の他の使用方法としては、前記ＤＩＮレール１０に直交するように前記コネクタ端子台２０を取り付ける方法がある。
すなわち、ベース２１の接触部２２を前記ＤＩＮレール１０の断面中央に直交するように位置決めし、上方から押し込む。これにより、前記弾性腕部３１が弾性変形し、係止爪部３２がＤＩＮレール１０の係止用リブ１１，１２を乗り越えた後、弾性腕部３１が元の形状に弾性復帰する。このため、係止爪部３２，３２が前記係止用リブ１１，１２に係止する。
【００２６】
そして、前記ＤＩＮレール１０に前記コネクタ端子台２０を直交するように取り付けた場合に、前記コネクタ端子台２０を取り外すときは、前記ガイド溝３０にドライバーを差し込み、前記弾性腕部３１から延在する操作受け部３１ａを押圧し、前記弾性腕部３１を外方に弾性変形させる。このため、係止爪部３２，３２がＤＩＮレール１０の係止用リブ１１，１２から外れ、前記コネクタ端子台２０をＤＩＮレール１０から取り外すことができる。
【００２７】
次に、本実施形態に係るコネクタ端子台２０の接点機構部６０，７０にリード線の端子部を接続する方法について説明する。
例えば、図示しないリード線の棒端子を接続する場合には、下段側に位置する端子挿入口５６ｂに棒端子を挿入し、ついで、操作孔５３ｂを介して締め付けネジ７５を固定端子部材７７のネジ孔７８に螺合する。これにより、可動端子部材７１が下降し、可動端子部材７１の下面部７１ｃと固定端子部材７７の下面部７７ｃとで前記棒端子を挟持し、電気接続できる。
【００２８】
また、リード線の丸端子を接続する場合には、例えば、下段側の固定端子部材７７から操作孔５３ｂを介して締め付けネジ７５および可動端子部材７１を引き上げた後、下段側の上方に位置する端子挿入口５５ｂに、丸端子を挿入する。ついで、可動端子部材７１を下降させた後、締め付けネジ７５を固定端子部材７７のネジ孔７８に螺合することにより、固定端子部材７７の上面部７７ａと可動端子部材７１の上面部７１ａとで前記丸端子を挟持し、電気接続できる。
【００２９】
本実施形態によれば、可動端子部材６１，７１が枠形状であるので、機械的強度が高く、接続信頼性の高いコネクタ端子台が得られるという利点がある。
なお、本実施形態では、締め付けネジ７５をネジ孔７８に螺合することにより、可動端子部材７１が可動する例を示したが、前記可動端子部材７１を固定し、固定端子部材７７が可動するように構成してもよい。
また、端子部７９は、必ずしも固定端子部材７７から延在する必要はなく、可動端子部材７１もしくは固定端子部材７７の少なくともいずれか一方と、電気的に接続するように構成してもよい。
【００３０】
第２実施形態に係るコネクタ端子台は、図６ないし図１０に示すように、前述の第１実施形態とほぼ同様である。異なる点は、収納凹部５２ａ，５２ｂ内に収納したコイルバネ８０，８０が、可動端子部材６１，７１の舌片６３，７３の下面を押し上げ、上方に付勢した点である。
他は前述の第１実施形態と同様であるので、同一部分に同一番号を附して説明を省略する。
【００３１】
本実施形態に係るコネクタ端子台の接点機構部にリード線の端子部を接続する方法について説明する。
例えば、リード線９０の棒端子９１を接続する場合には、図９Ａ、図９Ｂに示すように、下段下方側に位置する端子挿入口５６ｂに棒端子９１を挿入し、ついで、図９Ｃ、図９Ｄに示すように、操作孔５３ｂを介して締め付けネジ７５を固定端子部材７７のネジ孔７８に螺合する。これにより、可動端子部材７１の下面部７１ｃと固定端子部材７７の下面部７７ｃとで前記棒端子９１を挟持し、電気接続できる。
【００３２】
また、リード線９０の丸端子９２を接続する場合には、図１０Ａ、図１０Ｂに示すように、下段上方側に位置する端子挿入口５５ｂに、丸端子９２を挿入する。ついで、図１０Ｃ、図１０Ｄに示すように、操作孔５３ｂを介して可動端子部材７１を押し下げて下降させた後、締め付けネジ７５を固定端子部材７７のネジ孔７８に螺合する。これにより、固定端子部材７７の上面部７７ａと可動端子部材７１の上面部７１ａとで前記丸端子９２を挟持し、電気接続できる。
【００３３】
本実施形態によれば、可動端子部材６１，７１が上方に付勢されているので、端子挿入口５５ａ，５５ｂ，５６ａ，５６ｂにリード線９０の端子部を挿入する場合、可動端子部材６１，７１および締め付けネジ６４，７５が固定端子部材６７，７７から常に浮いた状態にある（図９Ａ，９Ｂ，１０Ａ，１０Ｂ）。このため、リード線９０が挿入しやすくなり、作業性の高いコネクタ端子台が得られるという利点がある。
【００３４】
第３実施形態に係るコネクタ端子台は、図１１ないし図１４に示すように、前述の第１実施形態とほぼ同様であり、異なる点は、可動端子部材６１，７１が断面略コ字形状を有するとともに、その上面部６１ａ，７１ａから舌片ではなく、突起部６１ｄ，７１ｄを下方側に延在した点である。
他は前述の第１実施形態と同様であるので、同一部分に同一番号を附して説明を省略する。
【００３５】
本実施形態によれば、可動端子部材６１，７１の材料取り，成形が容易となり、生産コストを低減できるという利点がある。
【００３６】
第４実施形態に係るコネクタ端子台は、図１５ないし図１９に示すように、前述の第３実施形態とほぼ同様である。異なる点は、収納凹部５２ａ，５２ｂ内にコイルバネ８０，８０を収納し、可動端子部材６１，７１の突起部６１ｄ，７１ｄに係合することにより、前記可動端子部材６１，７１を上方に付勢した点である。
他は前述の第３実施形態と同様であるので、同一部分に同一番号を附して説明を省略する。
【００３７】
本実施形態に係るコネクタ端子台２０の接点機構部６０，７０にリード線を接続方法について説明する。
例えば、リード線９０の棒端子９１を接続する場合、図１８Ａ、図１８Ｂに示すように、下段下方側に位置する端子挿入口５６ｂに前記リード線の棒端子９１を挿入する。ついで、図１８Ｃ、図１８Ｄに示すように、操作孔５３ｂを介して締め付けネジ７５を押し下げて固定端子部材７７のネジ孔７８に螺合すると、可動端子部材７１の下面部７１ｃと固定端子部材７７の下面部７７ｃとで前記棒端子９１を挟持し、電気接続できる。
【００３８】
また、リード線９０の丸端子９２を接続する場合、図１９Ａ、図１９Ｂに示すように、固定端子部材７７から締め付けネジ７５が浮き上がっているので、下段上方側に位置する端子挿入口５５ｂに丸端子９２を挿入する。ついで、図１９Ｃ、図１９Ｄに示すように、操作孔５３ｂを介して可動端子部材７１を下降させた後、締め付けネジ７５を固定端子部材７７のネジ孔７８に螺合することにより、固定端子部材７７の上面部７７ａと可動端子部材７１の上面部７１ａとで前記丸端子９２を挟持し、電気接続できる。
【００３９】
本実施形態によれば、コイルバネ８０が可動端子部材７１を上方に付勢しているので、可動端子部材７１，締め付けネジ７５が固定端子部材７７から常に浮いた状態にある（図１８）。このため、丸端子９２が挿入しやすく、作業性の高いコネクタ端子台２０が得られる。
また、コイルバネ８０に可動端子部材７１の突起部７１ｄが係合しているので、コイルバネ８０が脱落しにくくなり、耐振性に優れたコネクタ端子台２０が得られるという利点がある。
【００４０】
なお、本実施形態では、例えば、可動端子部材７１の下面部７１ｃの外向面および／または固定端子部材７７の下面部７７ｃの内向面を、梨地状あるいは突起を設けることにより、接触面積を増大させてもよい。
また、本実施形態では、可動端子部材７１の上面部７１ａの内向面および／または固定端子部材７７の上面部７７ａの外向面を、梨地状あるいは突起を設けることにより、接触面積を増大させてもよい。
【００４１】
前記上段側の端子挿入口５５ａ，５６ａには、丸端子だけでなく、Ｙ端子を挿入するようにしてもよい。また、下段側の端子挿入口５５ｂ，５６ｂには、棒端子だけでなく、撚り線あるいは単線を挿入するようにしてもよい。
したがって、本発明によれば、１台のコネクタ端子台２０で、端子部を備えたリード線およびリード線それ自体を全て接続でき、便利であるだけでなく、在庫管理が容易になるという利点がある。
【産業上の利用可能性】
【００４２】
本発明に係るコネクタ端子台は、前述の実施形態に限らず、例えば、支持レールに取り付けないコネクタ端子に適用してもよい。
【符号の説明】
【００４３】
１０：ＤＩＮレール
１１，１２：係止用リブ
２０：コネクタ端子台
２１：ベース
２２：接触部
２３：嵌合溝
２４，２５：係合溝
２４ａ，２５ａ：係合凹部
２７：端末ブロック
２８ａ，２８ｂ：係合爪部
４０：プリント基板
４１：側面カバー
４２：上面カバー
４３：接続ブロック
５０：端子台ブロック
５１：端子台ハウジング
５２ａ，５２ｂ：収納凹部
５３ａ，５３ｂ：操作孔
５４ａ：端子溝
５５ａ，５５ｂ：端子挿入口
５６ａ，５６ｂ：端子挿入口
６０：接点機構部
６１：可動端子部材
６１ａ：上面部
６１ｂ：側面部
６１ｃ：下面部
６１ｄ：突起部
６２：嵌合孔
６３：舌片
６７：固定端子部材
６７ａ：上面部
６７ｂ：側面部
６７ｃ：下面部
６８：ネジ孔
６９：端子部
７０：接点機構部
７１：可動端子部材
７１ａ：上面部
７１ｂ：側面部
７１ｃ：下面部
７１ｄ：突起部
７２：嵌合孔
７３：舌片
７７：固定端子部材
７７ａ：上面部
７７ｂ：側面部
７７ｃ：下面部
７８：ネジ孔
８０：コイルバネ
９０：リード線
９１：棒端子
９２：丸端子
【図１】
0005953920.tif 000002
【図２】
0005953920.tif 000003
【図３】
0005953920.tif 000004
【図４】
0005953920.tif 000005
【図５】
0005953920.tif 000006
【図６】
0005953920.tif 000007
【図７】
0005953920.tif 000008
【図８】
0005953920.tif 000009
【図９】
0005953920.tif 000010
【図１０】
0005953920.tif 000011
【図１１】
0005953920.tif 000012
【図１２】
0005953920.tif 000013
【図１３】
0005953920.tif 000014
【図１４】
0005953920.tif 000015
【図１５】
0005953920.tif 000016
【図１６】
0005953920.tif 000017
【図１７】
0005953920.tif 000018
【図１８】
0005953920.tif 000019
【図１９】
0005953920.tif 000020